(57)【要約】      （修正有）【課題】蜜蜂が病気を発症したり、ダニが付着して死亡する等を防ぎ、巣箱内に寒暖の差をできるだけ小さくし、蜜蜂自身で自由に温度コントロールできる範囲の環境を整えることが可能な巣箱を提供する。【解決手段】前面と後側と二ヶ所に出入り口を設け、ハウス内で受粉を行うときは、ハウスの中に巣箱の半分を（後側）入れ、後の半分を外気（外側）になるよう巣箱を設置し、蜂が自由にハウス内にも外にも飛ぶことができ蜂自身で自分の健康管理をできる巣箱の構造とし、巣箱内の温度調節も外気側にある出入り口から新しい空気を入れ巣箱内の温度を下げる活動を蜂自身が行うことができると同時に、本箱を継箱として使用できる構造にして、二段、三段と重ねハウス内の環境に合わせて継箱の数を組立し蜂が一番働きやすい環境を造りだすことができる構造とした。【選択図】図６
2011092168.tif 000002
【特許請求の範囲】
【請求項１】
底板を二重にする。外側の底板にプラスチック板、内側に木材を使用して外側と内側に空間を作り、底面からの寒さを防ぎ、結露防止する巣箱。
【請求項２】
前後の側面も二重構造にして同じ方法で空気層を作り巣箱の温度上昇や低下を防ぐ巣箱。
【請求項３】
特にハウス内で受粉用に貸し出す場合、現在は蜜蜂が巣箱内の温度を調整できなくなり死亡していた。
それを防ぐため前後２箇所に出入り口を設け（現在は１箇所）、その出入り口をワンタッチ式にして気温に合わせて出入り口の大きさを調節できるようにした巣箱。
【請求項４】
ハウス内で受粉用に使用する場合は、巣箱の半分をハウス内に入れ、残り半分を外気に向けることで蜜蜂がハウス内にも、ハウス外にも自由に飛び出せるようにして蜜蜂自身が巣箱の温度を調整できるようにした巣箱。
【請求項５】
本発明の巣箱を継箱として使用できる巣箱にし、２段、３段と重ねて使用したい場合は、巣箱の底板を取り外し隔王板を使用することで働き蜂が自由に出入りできるようにし、女王蜂を１段目の本箱に置き、２段目以降の継箱にも女王蜂を入れていくことで働き蜂の数をより多く殖やしていくことができる巣箱。
【請求項６】
巣箱の空気の取入口の金網は年１回の交換が必要とされているが、現実、巣箱は蜜ロウや蜂ヤニにより金網の目が塞がり、思うような空気の取入れができていなかった。それを改善し金網の交換を安易にするため、二重構造のプラスチック板と木材の板との間に金網を挟みこみボルト２本で固定する構造とした巣箱。
【発明の詳細な説明】
【技術分野】
【０００１】  本発明は、蜜蜂の死亡を防ぐ巣箱の研究開発と養蜂作業を安全に行うことができるシステムの開発。
【背景技術】
【０００２】  現在はハウス用に貸し出すと殆ど（７０％）が死亡してしまい次の年には使用できなかった。本発明の巣箱は、生存率が高くハウス用に貸し出しても７０％以上の蜜蜂が次の年にも働かせることができる。又蜜採集にも使用できる巣箱である。
【先行技術文献】
【０００３】
【非特許文献１】  特許出願  特開２００１−１３６８６０
【非特許文献２】  特許出願  特開２００４−２０１５９２
【０００４】
【実用新案１】
登録実用新案  第３１０２２９７号
【実用新案２】
実用新案公開  平６−２３４４６
【発明の概要】
【発明が解決しようとする課題】
【０００５】  現在市販されている巣箱は蜜蜂の病気やダニの付着等の対策がなされていないのが実情である。
最近の異常気象で蜜蜂の死亡率が飛躍的に高くなっており、早期の対策が必要である。それを踏まえて巣箱の研究に着手した。
研究の結果判明したことは、気温と巣箱内の温度に関係していることが判ってきた。
蜜蜂の最適な活動温度は気温・摂氏１７〜２３℃ぐらいである。
春は、早朝と日中の寒暖差が特に大きく、巣箱は結露しやすい状況に陥る。これを打開するには新しい巣箱の発明が最善と考えた。
気候を変えることは不可能である、よって蜜蜂の性質を考慮した巣箱の発明を行い、蜜蜂自身で温度調整が可能な構造にした。
【課題を解決するための手段】
【０００６】  現在使用している巣箱の優れている所と劣っている所を洗出し、優れているところは取入、劣っているところは改良、又は刷新することで次の巣箱が完成した。
（１）空気の流れを良くする為に出入り口を前後２箇所にした。
（２）底板と前後側面の板をプラスチック板と木材の板との二重構造にして、木箱の木材の底板が腐敗しないようにした。また、外気の影響を小さくするため外板と内板との間に空間を設け、エア断熱構造にすることにより巣箱内の寒暖差を小さくする構造とした。
（３）本発明のもう一つの特徴は、蜜蜂の本箱を継箱として使用できる構造にした。研究開発の目標の一つとして蜜蜂を多く殖やす方法の確立があり、その方法の一つとして、本箱を継箱としても使用すると言うテーマで試行錯誤かさねた結果、継箱使用時、底板取り外し可能な構造で段重ねに対応した巣箱の開発に成功した。本箱に鉄線隔王板を取り付けることにより、女王蜂の巣箱間の移動を防ぐことで巣箱毎に女王蜂を入れることができ、かつ働き蜂は自由に巣箱間を出入りできる構造としたことで、より多くの働き蜂を殖やすことができた。
【発明の効果】
【０００７】（１）本発明によれば、ハウス内で蜜蜂の力で温度を調整できない構造の従来の巣箱が、前後に２箇所の出入り口を造ることによって蜜蜂自身で温度調節が可能になり、出入りの自由度が向上する仕組みになっている。
（２）本発明の特徴である底板の二重構造は空気層を作り、冬期間は厳冬の寒さ、夏期間は猛暑による暑さから蜜蜂を守り、蜜蜂の力の範囲で巣箱内の気温をコントロールでき、またハウスで授粉用に使用する場合でも出入り口がハウス内とハウスの外にと２箇所あり、それぞれ開放しますので巣箱内の環境が良くなり、蜜蜂が多く繁殖する。
（３）本発明のもう一つの目的である蜜蜂を多く殖やす方法は、本箱を利用して継箱を作り、女王蜂を２段目、３段目と複数入れることにより働き蜂を多く殖やすことができる。
【図面の簡単な説明】
【０００８】
【図１】  二段重ねの組立完成図
【図２】  本箱に継箱を組立し、上蓋を取り外した組立図
【図３】  継箱の立体図
【図４】  本箱の立体図で出入り口を開いた状態
【図５】  本箱に継箱を組込んだ正面図
【図６】  本箱出入り口の拡大図
【図７】  本箱及び継箱の正面・裏面の断面図
【図８】  本箱及び継箱の側面・裏面の断面図
【符号の説明】
【０００９】図１は本箱に継箱を組立てた完成図
▲１▼継箱の上蓋
▲２▼継箱全体
▲３▼本箱全体
▲４▼継箱通気口
▲５▼本箱通気口
▲６▼継箱の出入り口のワンタッチドアが閉めてある状態
▲７▼本箱の出入り口のワンタッチドアが閉めてある状態
▲８▼本箱の二重底板
図４
▲９▼出入り口のワンタッチドアを開いた図
▲１０▼ワンタッチドアを開いた後の出入り口
図５
▲１１▼継箱前面の正面通気口
▲１２▼本箱前面の正面通気口
図６
▲１３▼本箱正面のワンタッチドア
▲１４▼底面板の二重底板
▲１５▼本箱正面のワンタッチドアを開いた後の蜜蜂の出入り口
図７
▲１６▼継箱正面裏側の断面出入り口
▲１７▼本箱正面裏側の断面出入り口
図８
▲１８▼二段重上蓋の側面
▲１９▼二段重本箱と継箱の間にある鉄線隔王板
【発明を実施するための最良の形態】
【００１０】（１）本発明を裁量の形態で実施するためには、プラスチック製の板をインジェクション成型で製作することで均一な巣箱ができ、所期の目的を達成することができる。
（２）本発明は、外側をプラスチックで内側全面に木材を使用することで蜜箱内の環境を良くし、蜜蜂に馴染みやすい構造になっており、ストレスを与えず、健康に配慮したやさしい造りになっている。
【実施例】
【００１１】（１）本発明で考案された巣箱で実際にハウスで使用してみたところ、夏の猛暑時で従来ではおよそ７０％の死亡率であったものがこの巣箱では殆ど死亡することなくハウスに入れる前と同じ状態でした。
（２）本箱の底板を取り外し継箱として２段、３段と積み重ね、それぞれの巣箱に女王蜂を入れて使用してみたところ、本箱と同等に殖えており、蜜蜂は本箱の３倍位まで殖えていた。
【産業上の利用・可能性】
【００１２】（１）本発明のシステムは、プラスチックと木材の組合せでできており、今まで蜜蜂の健康と性質を考えて製作されている巣箱は存在しなかったが、本発明は蜜蜂の健康と特徴や性質等を考慮した上で巣箱の設計をしており、蜜蜂にとって最適な環境を提供できる巣箱である。
（２）本発明の巣箱は経済的に考えたとき、高価で利用できない商品では開発商品としては成り立たない。
本発明の商品（巣箱）は、経済的に観てもコストを低く抑える努力は十分に行っており、商品（巣箱）の耐久性についても従来品の比較で７０％高く設計されており、産業上の利用価値は十分あるものと考える。
【図１】
2011092168.tif 000003
【図２】
2011092168.tif 000004
【図３】
2011092168.tif 000005
【図４】
2011092168.tif 000006
【図５】
2011092168.tif 000007
【図６】
2011092168.tif 000008
【図７】
2011092168.tif 000009
【図８】
2011092168.tif 000010